(57)【特許請求の範囲】
【請求項１】
船べりに係止するためのクランプ部と、釣竿を保持する竿受け部を備えた竿受装置において、該竿受装置の前記竿受け部の釣り竿が載せられるＹ字形に形成された両側の竿受けの基部に前方に向けて係止凹部を形成し、該係止凹部に釣竿緊締具に形成した係止凸部を係止と離脱ができるように係止して釣竿の前方への脱落を防止したことを特徴とする竿掛装置。
【請求項２】
前記係止凹部は先細り状であることを特徴とする請求項１記載の竿掛装置。
【発明の詳細な説明】
【０００１】
【発明の属する技術分野】
本発明は、釣竿を掛け止めする竿掛装置の改良に関する。
【０００２】
【従来の技術】
従来竿掛けを使用している時、釣の最中は釣竿を固定保持しておき魚がかかったら、魚とのやり取りや取り込みのため速やかに竿掛けから釣竿を取り外す必要があった。
また魚がかかって釣竿が引っ張られる場合は竿掛けから釣竿が脱落しないようにする必要性もあった。
かかる構成機能を備えたものに例えば、実開昭５０−２８８６号公報や特開平８−２８０３１１号公報が上げられる。
前記前者は釣竿に保持具をネジで固定し、保持具に傾斜面のある縁を形成し、船べりに固定具を取り付けて固定具の上面に傾斜面のある縁がスライド出来る受け具が固定されている。
前記後者は前側の竿受けガイドに逆Ω字形の穴溝が形成されている。
【０００３】
しかし、前者は竿の前方への抜け落ちは防止されるが、上方に速やく煽ったりする事はできないため、アワセが遅れる恐れがあった。
又、後者も前方への竿の抜けは規制されるが、受け口が竿のストッパ−となる際は開放口が抵抗となり、竿の上方への煽り上げは困難であり、また、開放口の幅は不変であるため、使用する竿の長さが変わり、竿の径が変化すると、ストッパ−の規制状態も変化して竿受けを取り替えなければならなかった。
【０００４】
【発明が解決しようとする課題】
解決しようとする問題点は、竿の前方への抜け落ちは防止されるが、上方に速やく煽ったりする事はできないため、アワセが遅れることや、竿の径が変化すると、ストッパ−の規制状態も変化して保持具に対し釣竿の取り替えや竿受けの取り替えが面倒なことである。
【０００５】
本発明の目的は前記欠点に鑑み、竿の前方への抜け落ちが防止され、速やかに煽り動作が出来ると共に必要に応じて釣竿の取り替えが容易に出来る竿掛装置を提供することである。
【０００６】
【課題を解決するための手段】
上記課題を解決するために、請求項１に係わる本発明は、船べりに係止するためのクランプ部と、釣竿を保持する竿受け部を備えた竿受装置において、該竿受装置の前記竿受け部の釣り竿が載せられるＹ字形に形成された両側の竿受けの基部に前方に向けて係止凹部を形成し、該係止凹部に釣竿緊締具に形成した係止凸部を係止と離脱ができるように係止して釣竿の前方への脱落を防止したことを要旨とするものである。
請求項２に係わる本発明は、前記係止凹部は先細り状であることを要旨とするものである。
【０００７】
【発明の実施の形態】
請求項１の本発明により、魚がかかって釣竿５が前方に引っ張られた場合も、釣竿５に取り付けられた釣竿緊締具６の係止凸部６ｃが竿受け部３の先細り状の係止凹部３ｂで前進が阻止され、基板６ａが両側竿受け３ａ、３ａに引っかかるため釣竿５の脱落を防止できる。
魚が餌を食べアタリがあった時も、係止凸部６ｃを係止凹部３ｂの中から上方に離脱できるので、釣竿５を前竿受け部３の上方に煽って速やかに合わせが行える。
係止凸部６ｃが先端先細り状の係止凹部３ｂに係止されるため、釣竿５の回転止めとなるので、釣竿５の上方に取り付けられる両軸受型リ−ルも回動することなく使用可能になる。
前方の竿受け部３に係止凹部３ｂを設け、釣竿５に容易に着脱可能な釣竿緊締具６を取り付けるので安価な竿掛装置が提供出来る。
【０００８】
請求項２の本発明により、釣竿５が前方に引っ張られた場合も、釣竿緊締具６の係止凸部６ｃが前方の竿受け部３の先細り状の係止凹部３ｂで前進が阻止され、釣竿５の前方への脱落が防止される。
係止凹部３ｂを断面半円弧状にすれば釣竿５を前方の竿受け部３の上方に煽って速やかに合わせが行える。
【０００９】
【実施例】
以下、図示の実施例によって本発明を説明すると、図１から図６は第１実施例で、図１は竿掛装置の一部断面側面図、図２は竿掛装置の平面図、図３は竿掛装置の正面図、図４は釣竿緊締具の側面図、図５は釣竿緊締具の（ａ）正面図で（ｂ）断面正面図、図６は釣竿緊締具の底面図である。
【００１０】
竿掛装置は船べりに係止するためのクランプ部１と、クランプ部１に回動と前後位置が変更可能な湾曲した竿受け基部２と、基部２の前側に前後に回動可能に取り付けられたＹ字形の前方の竿受け部３と、基部２の後側に前後に回動可能に取り付けられた？字形の後竿受け部４と、釣竿５に取り付けられた釣竿緊締具６で構成されている。
クランプ部１は断面コ字形で一側脚部１ａに向けて他側脚部１ｂからネジ杆１０が螺合されている。
クランプ部１の上部にはネジ孔１ｃが形成されている。
一側脚部１ａにもネジ孔１ｄが形成されている。
【００１１】
竿受け基部２には長孔２ａが形成されて長孔２ａに通したネジ１１がクランプ部１のネジ孔１ｃに螺合される。
又、ネジ１１と基部２にをネジ孔１ｄに螺合することで、クランプ部１を縦横両方向で使用することができる。
前方の竿受け部３はＹ字形に形成されて両側の竿受け３ａ、３ａの基部に前方に向けて先細り状の係止凹部３ｂと垂直面３ｃが形成されている。
【００１２】
釣竿緊締具６は緩い湾曲形状の基板６ａの中心に下側に向けて凸部６ｂが形成されてかつ凸部６ｂは前方に向けて突出されて係止凸部６ｃに形成されている。
係止凸部６ｃは断面逆台形でかつ底面側の横幅は前側が狭く、後側は幾分広い先細り状に形成されている。
基板６ａの両翼には長手方向の長孔６ｄ、６ｅが形成されている。
基板６ａの上には円弧状の弾性体７が固定されている。
一方の長孔６ｄには弾性ベルト８が通されて端部８ａがベルト同士で固定され、弾性ベルト８は弾性体７の外周を回して他方の長孔６ｅに通された後、折り返して端部８ｂは弾性体７の外周に重ねられる。
弾性ベルト８の端部８ｂと外周の適所にベルベット式面ファスナ−等の係止具が固定されている。
【００１３】
竿掛装置が使用される時は、釣竿緊締具６の弾性体７の中には釣竿５が挿入されて弾性ベルト８で緊締される。
釣竿緊締具６が取り付けられた釣竿５は前側が前方の竿受け部３の両側竿受け３ａ、３ａの間に載せられ、かつ釣竿緊締具６の係止凸部６ｃが係止凹部３ｂに差し込まれる。
釣竿５の後側は後方の竿受け部４に掛け止めされる。
【００１４】
前記のように竿掛装置が構成されると、魚がかかって釣竿５が前方に引っ張られた場合も、釣竿５に取り付けられた釣竿緊締具６の係止凸部６ｃが前方の竿受け部３の先細り状の係止凹部３ｂで前進が阻止され、基板６ａが両側竿受け３ａ、３ａに引っかかるため釣竿５の脱落を防止できる。
魚が餌を食べアタリがあった時も、係止凸部６ｃを先細り状の係止凹部３ｂの中から上方に離脱できるので、釣竿５を前方の竿受け部３の上方に煽って速やかに合わせが行える。
係止凸部６ｃが係止凹部３ｂに係止されるため、釣竿５の回転止めとなるので、釣竿５の上方に取り付けられる両軸受型リ−ルも回動することなく使用可能になる。
前方の竿受け部３に係止凹部３ｂを設け、釣竿５に容易に着脱可能な釣竿緊締具６を取り付けるので安価な竿掛装置が提供出来る。
【００１５】
図７は第２実施例で、図７は釣竿緊締具の断面正面図である。
【００１６】
第２実施例では、緩い湾曲形状の基板６ａの上に皿状の弾性体９が固定されている。
他の構成は前記第１実施例と略同一である。
【００１７】
前記説明では、前方の竿受け部３に係止凹部３ｂを設けたが、基部２の後側に前後に回動しない前方の竿受け部３と同形の後方の竿受け部を設け、この後方の竿受け部に係止凹部３ｂを設けてもよい。
【００１８】
【発明の効果】
本発明は、以上説明したような形態で実施され、以下に記載されるような効果を奏する。
【００１９】
請求項１により、魚がかかって釣竿が前方に引っ張られた場合も、釣竿に取り付けられた釣竿緊締具の係止凸部が前方の竿受け部の先細り状の係止凹部で前進が阻止され、釣竿緊締具の基板が両側竿受けに引っかかるため釣竿の脱落を防止できる。
魚が餌を食べアタリがあった時も、係止凸部を係止凹部の中から上方に離脱できるので、釣竿を前方の竿受け部の上方に煽って速やかに合わせが行える。
係止凸部が先細り状の係止凹部に係止されるため、釣竿の回転止めとなるので、釣竿の上方に取り付けられる両軸受型リ−ルも回動することなく使用可能になる。
前方の竿受け部に係止凹部を設け、釣竿に容易に着脱可能な釣竿緊締具を取り付けるので安価な竿掛装置が提供出来る。
【００２０】
請求項２により、釣竿が前方に引っ張られた場合も、釣竿緊締具の係止凸部が前方の竿受け部の先細り状の係止凹部で前進が阻止される。
係止凹部を断面半円弧状にすれば釣竿を前方の竿受け部の上方に煽って速やかに合わせが行える。
【図面の簡単な説明】
【図１】第１実施例で、竿掛装置の一部断面側面図である。
【図２】同竿掛装置の平面図である。
【図３】同竿掛装置の正面図である。
【図４】同釣竿緊締具の側面図である。
【図５】同釣竿緊締具の（ａ）正面図で（ｂ）断面正面図である。
【図６】同釣竿緊締具の底面図である。
【図７】第２実施例で、釣竿緊締具の断面正面図である。
【符号の説明】
１  クランプ部
３  竿受け部
３ｂ  係止凹部
５  釣竿
６  釣竿緊締具
６ｃ  係止凸部
【図１】
0004291471.tif 000002
【図２】
0004291471.tif 000003
【図３】
0004291471.tif 000004
【図４】
0004291471.tif 000005
【図５】
0004291471.tif 000006
【図６】
0004291471.tif 000007
【図７】
0004291471.tif 000008